(57)【要約】      （修正有）【課題】店頭等において、販売対象に関する情報を購買者の意向に応じて提供することができる情報表示カードおよび広告ポップを提供する。【解決手段】プライスカード１０に、商品の名称を文字表示した商品名表示部１２と、商品名表示部１２に隣接して配置され、該商品に関連する情報を文字表示した商品情報表示部１３と、商品に関連する情報を示すＱＲコード（登録商標）を表示したＱＲコード（登録商標）表示部１１とを有し、ＱＲコード（登録商標）表示部１３に表示したＱＲコード（登録商標）は、商品に関連する画像情報を配信するＵＲＬを含み、該ＱＲコード（登録商標）を読み込んだ携帯端末にＵＲＬで配信される画像情報を表示させる旨のコードパターンを備えることを特徴とする。【選択図】図１
0003213960.tif 000002
【実用新案登録請求の範囲】
【請求項１】
販売対象の名称を文字表示した販売対象名表示部と、
前記販売対象に関連する情報を示すＱＲコード（登録商標）を表示したＱＲコード（登録商標）表示部と、
を有し、
前記ＱＲコード（登録商標）表示部に表示したＱＲコード（登録商標）は、
前記販売対象に関連する画像情報を配信するＵＲＬを含み、該ＱＲコード（登録商標）を読み込んだ携帯端末に前記ＵＲＬで配信される画像情報を表示させる旨のコードパターンを備える、
ことを特徴とする情報表示カード。
【請求項２】
前記販売対象に関連する情報を文字表示した関連情報表示をさらに有する、
ことを特徴とする請求項１に記載の情報表示カード。
【請求項３】
前記ＱＲコード（登録商標）表示部に表示したＱＲコード（登録商標）は、
前記販売対象に関連する動画のＵＲＬを含む、
ことを特徴とする請求項１または２に記載の情報表示カード。
【請求項４】
前記ＱＲコード（登録商標）表示部に表示したＱＲコード（登録商標）は、
前記販売対象に関連する複数の情報項目と対応する複数のＵＲＬを含む、
ことを特徴とする請求項１から３のいずれか１項に記載の情報表示カード。
【請求項５】
販売対象の名称を文字表示した販売対象名表示部と、
該販売対象に関連する情報を文字表示した関連情報表示部と、
前記販売対象に関連する情報を示すＱＲコード（登録商標）を表示したＱＲコード（登録商標）表示部と、
を有し、
前記ＱＲコード（登録商標）表示部に表示したＱＲコード（登録商標）は、
前記販売対象に関連する画像情報の配信を行うＵＲＬを含み、該ＱＲコード（登録商標）を読み込んだ携帯端末に前記ＵＲＬで配信される画像情報を表示させる旨のコードパターンを備える、
ことを特徴とする広告ポップ。
【請求項６】
前記ＱＲコード（登録商標）表示部に表示したＱＲコード（登録商標）は、
前記販売対象に関連する動画のＵＲＬを含む、
ことを特徴とする請求項５に記載の広告ポップ。
【請求項７】
前記ＱＲコード（登録商標）表示部に表示したＱＲコード（登録商標）は、
前記販売対象に関連する複数の情報項目と対応する複数のＵＲＬを含む、
ことを特徴とする請求項５または６に記載の広告ポップ。
【考案の詳細な説明】
【技術分野】
【０００１】
本考案は、商品等の販売対象に関連する情報を記録した情報表示カードおよび広告ポップに関するものである。
【背景技術】
【０００２】
販売対象の例えば商品には値札が取り付けられており、この値札に販売価格、商品名などが文字印刷されている。この値札（プライスカード）には、商品の工場出荷や物流等の履歴、販売店の在庫販売数を管理するため、またさらに、例えば店頭の陳列位置などを管理するためにバーコードを備えたものがある（例えば、特許文献１参照）。
バーコードは、ナローバー、ワイドバー、ナロースペース、および、ワイドスペースの各幅、また、当該バーコード全体の長さについてミリメートル単位で規格化されている。このようなバーコードを上記の規格に則って正確に読み取るためには、バーコードと光学読み取り素子等との距離間隔を一定にする構造体などが必要になり、専用に設計されたバーコードリーダー（読み取り装置）が用いられている。
【０００３】
そのため、バーコードは、一般的には、専用の読み取り装置を設置した倉庫、小売店のレジカウンター等において入力処理を行う際に用いられている。プライスカード等に添付されているバーコードは、製造業者や小売り販売業者側が使用する情報を記憶したものであり、一般客（購買者）に対して製品情報等を提供するために設けられたものではない。
【先行技術文献】
【特許文献】
【０００４】
【特許文献１】特開２００３−６７３７号公報
【考案の概要】
【考案が解決しようとする課題】
【０００５】
販売対象の商品に直接取り付けられている値札や、販売対象を紹介するために店頭等に設置固定されている広告ポップは、文字情報を掲示する表面面積に限りがあり、掲載可能な情報量は必然的に制限されている。
ここで、販売対象には、商品価値等を高めるため、高度な技術に基いて構成したものや高機能を備えたものがあり、さらに、各購買者の嗜好に対応するために多様なバリエーションを揃えたものがある。そのため、豊富な商品知識が必要になり、店頭販売員等が任意の販売対象の説明を即座に購買者へ行うことが難しくなっているという問題点があった。
【０００６】
また、前述のように値札等にバーコードを備えた場合、値札等からバーコードを読み取るときにバーコード専用の読み込み装置が必要になる。また、前述のように規格化されているバーコードは、記憶可能な情報量も限られており、購買者に対して販売対象の情報を提供する、もしくは説明等を行うときにバーコードを用いることは現実的ではないという問題点があった。
【０００７】
本考案は、上記のような課題を解決するためになされたもので、店頭等において販売対象に関する情報を購買者の意向に応じて提供することができる情報表示カードおよび広告ポップを提供することを目的とする。
【課題を解決するための手段】
【０００８】
本考案に係る情報表示カードは、販売対象の名称を文字表示した販売対象名表示部と、前記販売対象に関連する情報を示すＱＲコード（登録商標）を表示したＱＲコード（登録商標）表示部と、を有し、前記ＱＲコード（登録商標）表示部に表示したＱＲコード（登録商標）は、前記販売対象に関連する画像情報を配信するＵＲＬを含み、該ＱＲコード（登録商標）を読み込んだ携帯端末に前記ＵＲＬで配信される画像情報を表示させる旨のコードパターンを備えることを特徴とする。
【０００９】
また、前記販売対象に関連する情報を文字表示した関連情報表示をさらに有する、ことを特徴とする。
【００１０】
本考案に係る広告ポップは、販売対象の名称を文字表示した販売対象名表示部と、該販売対象に関連する情報を文字表示した関連情報表示部と、前記販売対象に関連する情報を示すＱＲコード（登録商標）を表示したＱＲコード（登録商標）表示部と、を有し、前記ＱＲコード（登録商標）表示部に表示したＱＲコード（登録商標）は、前記販売対象に関連する画像情報の配信を行うＵＲＬを含み、該ＱＲコード（登録商標）を読み込んだ携帯端末に前記ＵＲＬで配信される画像情報を表示させる旨のコードパターンを備えることを特徴とする。
【００１１】
また、前記ＱＲコード（登録商標）表示部に表示したＱＲコード（登録商標）は、前記販売対象に関連する動画のＵＲＬを含むことを特徴とする。
【００１２】
また、前記ＱＲコード（登録商標）表示部に表示したＱＲコード（登録商標）は、前記販売対象に関連する複数の情報項目と対応する複数のＵＲＬを含むことを特徴とする。
【考案の効果】
【００１３】
本考案によれば、販売対象に関する情報について、口頭説明では困難な内容であっても理解し易く購買者に提供することができる。
【図面の簡単な説明】
【００１４】
【図１】本考案の実施例１による情報表示カードの構成を示す説明図である。
【図２】本考案の実施例２による広告ポップの構成を示す説明図である。
【考案を実施するための形態】
【００１５】
以下、この考案の実施の一形態を説明する。
（実施例１）
図１は、本考案の実施例１による情報表示カードの構成を示す説明図である。図１（ａ）に例示した情報表示カードであるプライスカード１０は、販売対象の例えば商品に取付けられる、または、当該商品を陳列させた商品棚等に設置される値札として構成されたもので、表面にＱＲコード（登録商標）表示部１１、商品名表示部１２、商品情報表示部１３を備えている。
図１（ｂ）に例示した情報表示カードである商品カード１０ａは、販売対象の例えば商品に取付けられる、または、当該商品を陳列させた商品棚等に設置される表示札として、表面にＱＲコード（登録商標）表示部１１、商品名表示部１２を備えている。
即ち、商品カード１０ａは、商品情報表示部１３を備えていないこと以外は、プライスカード１０と概ね同様に構成され、各部の機能も同様なものである。ここでは、代表としてプライスカード１０の構成を説明し、商品カード１０ａの詳細説明を省略する。
【００１６】
商品名表示部１２は、プライスカード１０を添付した商品の例えばブランド名称や称呼名称等を文字表示した部分である。
商品情報表示部１３は、プライスカード１０を添付した商品の例えば金額（販売価格）、素材、カラー、サイズなどの情報を文字またはシンボルマーク等を用いて表示した部分である。
ＱＲコード（登録商標）表示部１１は、例えば、商品情報表示部１３に表示された各情報と関連する、当該商品の取り扱い説明、素材に応じたメンテナンスの手法や手順などを説明または紹介する文字（説明・解説文等）、画像（写真やイラスト等のスチル画像、ビデオ録画された動画）、音声による説明や演出などを配信しているＵＲＬ等を表すコードパターンを表示したものである。
換言すると、ＱＲコード（登録商標）表示部１１に表示されているＱＲコード（登録商標）は、例えば、商品情報表示部１３には、文字数等が多くなるため表示することのできない情報を、所定のＵＲＬからダウンロードさせるように構成されている。
【００１７】
プライスカード１０のＱＲコード（登録商標）は、例えば、購買者が所持しているスマートフォンなどの携帯端末に備えられたカメラ等の撮像手段によって撮像すると、このスマートフォン等がＱＲコード（登録商標）に記憶されている内容を読み取り認識することが可能な大きさ、コントラスト等を有してＱＲコード（登録商標）表示部１１に表示されている。
ＱＲコード（登録商標）表示部１１のＱＲコード（登録商標）は、画像として表示される文字の他、読み取りに用いたスマートフォン等の動作を制御する制御情報を含めて記憶したもので、当該ＱＲコード（登録商標）を読み取ったスマートフォンに、前述のＵＲＬから上記のような画像等をダウンロードさせ、さらに当該スマートフォンのディスプレイ装置等に上記のダウンロードした画像等を表示させるように構成されている。即ち、プライスカード１０（ＱＲコード（登録商標）表示部１１）に表示したＱＲコード（登録商標）は、商品情報表示部１３に文字表示されている情報と密接に関連する、例えば、文字情報の内容を詳細に説明する画像情報などを示したもので、具体的には、当該画像情報（例えば動画）を配信するＵＲＬを含む内容を記憶している。
【００１８】
ＱＲコード（登録商標）は、複数のＵＲＬを記憶することができることから、例えば、商品情報表示部１３に文字表示した複数項目について、スマートフォンの操作によって購買者に所望の項目を選択させ、当該選択された項目に対応する（関連する）画像等のデータをダウンロードし、当該画像等を表示する制御情報を、ＱＲコード（登録商標）表示部１１のＱＲコード（登録商標）に含めて構成してもよい。
また、ＱＲコード（登録商標）には、前述のように文字等のキャラクタを記憶させることも可能であることから、複数のプライスカード１０を各々識別する識別子を、ＱＲコード（登録商標）表示部１１に表示するＱＲコード（登録商標）に含めて構成してもよい。即ち、例えば、プライスカード１０を添付した商品の所在位置を管理する際に、当該ＱＲコード（登録商標）を所定の読み取り装置等に読み取らせ、倉庫内の在庫となっているか否か、また物流における所在位置の管理等を所定のシステム内において認識するときに用いるデータを、前述の購買者へ提供する情報（ＵＲＬなどのデータ）とともにＱＲコード（登録商標）に記憶させてもよい。
【００１９】
前述のような内容（購買者へ提供する情報）をＱＲコード（登録商標）に記憶させることにより、購買者が所持するスマートフォンなどの携帯端末に、プライスカード１０を添付した商品に関連する画像情報を、購買者がスマートフォンに行った操作に基いて、即ち、購買者の意向に応じて、適宜、表示させることができる。
換言すると、例えば、デジタルサイネージを店頭等に設置することによって提供可能になる情報を、当該デジタルサイネージを備えることなく、スマートフォン等を用いて購買者へ提供することができ、店頭等にデジタルサイネージを設置するスペースを不要にし、また、商品等に関する情報表示の際に必要な電力等を抑制することが可能になる。
【００２０】
また、プライスカード１０にＱＲコード（登録商標）表示部１１を設け、前述のように購買者に対して商品に関する画像情報等を提供すると、販売されている商品（現物）の近傍において、購買者に当該商品に関連する多様な情報を提供することが可能になり、購買意欲を有効に高めることができる。
【００２１】
（実施例２）
図２は、本考案の実施例２による広告ポップの構成を示す説明図である。図２に例示した広告ポップ２０は、例えば、店頭もしくは販売フロアの壁面、あるいはスタンド部材等に設置固定されるように構成されている。
広告ポップ２０の表面には、当該広告ポップ２０の設置位置の近傍において販売されている商品、または契約販売等が行われているサービス商品等の名称を文字表示している商品名表示部２２を有する。また、商品名表示部２２の例えば下方に商品情報表示部２３ａ，２３ｂを有している。なお、広告ポップ２０に設けられる商品情報表示部は、２か所に限定されるものではない。
商品情報表示部２３ａ，２３ｂは、商品名表示部２２に表示された商品またはサービスに関する各情報を文字表示したもので、当該商品またはサービス商品の詳細な内容や特徴、セールスポイント、金額（販売価格）などを購買者が視認できるように、また、これらの文字表示に例えば視覚効果を付加させて表示している部分である。
【００２２】
また、広告ポップ２０は、表面の例えば下側部分に、ＱＲコード（登録商標）表示部２１を有している。
ＱＲコード（登録商標）表示部２１は、広告ポップ２０に、例えば、販売対象の商品に関する情報を表示する場合、商品情報表示部２３ａならびに商品情報表示部２３ｂに各々表示された各情報と関連する、当該商品の取り扱い説明、素材に応じたメンテナンスの手法や手順などを説明または紹介している文字（説明・解説文等）、画像（写真やイラスト等のスチル画像、ビデオ録画された動画）などを配信しているＵＲＬ等を表すコードパターンを表示するものである。詳しくは、ＱＲコード（登録商標）表示部２１に表示されているＱＲコード（登録商標）は、商品情報表示部２３ａならびに商品情報表示部２３ｂには文字数等が多くなるため表示することのできない情報を、所定のＵＲＬからダウンロードさせるように構成されている。
【００２３】
ＱＲコード（登録商標）表示部２１に表示されているＱＲコード（登録商標）は、例えば店頭などに設置された広告ポップ２０の正面に購買者が立っているとき、この購買者が所持しているスマートフォンなどの携帯端末に備えられたカメラ等の撮像手段によって当該ＱＲコード（登録商標）を撮像すると、このスマートフォン等がＱＲコード（登録商標）に記憶されている内容を読み取り認識することができる大きさ、コントラスト等を有している。
【００２４】
広告ポップ２０は、店頭等の設置位置の広さによって大きさ制限が生じるが、概ね任意の大きさに設定されるものである。そのため、広告ポップ２０の商品情報表示部２３ａ，２３ｂには、複数種類の情報を相当量の文字や複数の静止画像によって掲載することも可能である。
ＱＲコード（登録商標）表示部２１に表示するＱＲコード（登録商標）は、実施例１で説明したＱＲコード（登録商標）表示部１１のＱＲコード（登録商標）と概ね同様な内容を記憶するものであるが、商品情報表示部２３ａ，２３ｂに各々掲載されている文字や静止画像によって示された情報と密接に関連する情報を記憶させることが好ましい。
なお、ＱＲコード（登録商標）表示部２１のＱＲコード（登録商標）に記憶させるＵＲＬは、単数に限らず複数のＵＲＬを記憶させてもよい。また、広告ポップ２０に複数のＱＲコード（登録商標）表示部２１を設置し、各々異なる内容を記憶したＱＲコード（登録商標）を表示してもよい。
【００２５】
広告ポップ２０によって広告する販売対象が、例えば、パッケージ旅行、各種の保険や金融商品などのサービス商品である場合には、詳細内容については多岐に設定されることが多く、同様なサービス商品であっても購買者によって選択される要素を含んだ複数のバリエーションが存在することがある。
このようなサービス商品を広告ポップ２０に掲示する場合、単一のＱＲコード（登録商標）に記憶させた情報を読み込むことにより、各バリエーション等に各々対応する情報サイト等へリンクするように、当該ＱＲコード（登録商標）を構成してもよい。また、前述のように、広告ポップ２０に複数のＱＲコード（登録商標）を表示しておき、スマートフォン等の携帯端末が任意のＱＲコード（登録商標）を読み込むことによって、サービス商品の、例えば何れかのバリエーションに関連させた情報サイトへアクセスするように広告ポップ２０を構成してもよい。
【００２６】
なお、実施例１で説明したプライスカード１０ならびに商品カード１０ａにおいても、カード表面を十分広く設けることができる場合には、上述の広告ポップ２０のように、異なる内容を記憶した複数のＱＲコード（登録商標）を表示するように構成してもよい。
【００２７】
商品、または、パッケージ旅行、各種の保険や金融商品などのサービス商品を掲載した広告ポップ２０に、ＱＲコード（登録商標）表示部２１を備え、ＱＲコード（登録商標）表示部２１に表示したＱＲコード（登録商標）に、商品またはサービス商品に関連する情報を記憶させることにより、文字等によって広告ポップ２０に表示することのできない情報量（詳細な内容）を、購買者へ提供することが可能になる。
また、ＱＲコード（登録商標）は、適当に離れた位置からでも、スマートフォン等の携帯端末が読み取ることができることから、前述のようにＱＲコード（登録商標）表示部２１に表示するＱＲコード（登録商標）の大きさ、コントラスト等を適度なものに設定することにより、購買者が接近することのできない位置に広告ポップ２０が設置されている場合でも、当該広告ポップ２０に掲載された商品またはサービス商品に関する詳細な情報を購買者へ提供することが可能になる。
また、広告ポップ２０に掲載されている販売対象が、詳細な内容については多岐にわたるサービス商品であっても、店頭等において、購買者が所望するものを正確に選択抽出することが可能になり、詳細な内容についても正確に購買者の要求に沿った情報を提供することができる。
【符号の説明】
【００２８】
１０  プライスカード
１０ａ  商品カード
１１  ＱＲコード（登録商標）表示部
１２  商品名表示部
１３  商品情報表示部
２０  広告ポップ
２１  ＱＲコード（登録商標）表示部
２２  商品名表示部
２３ａ，２３ｂ  商品情報表示部
【図１】
0003213960.tif 000003
【図２】
0003213960.tif 000004
【手続補正書】
【提出日】平成29年10月12日(2017.10.12)
【手続補正１】
【補正対象書類名】実用新案登録請求の範囲
【補正対象項目名】全文
【補正方法】変更
【補正の内容】
【実用新案登録請求の範囲】
【請求項１】
カード本体に、
販売対象の名称を文字表示した販売対象名表示部と、
前記販売対象名表示部に隣接して配置され、前記販売対象に関連する情報を示すＱＲコード（登録商標）を表示したＱＲコード（登録商標）表示部と、
を有し、
前記ＱＲコード（登録商標）表示部に表示したＱＲコード（登録商標）は、
前記販売対象に関連する画像情報を配信するＵＲＬを含み、該ＱＲコード（登録商標）を読み込んだ携帯端末に前記ＵＲＬで配信される画像情報を表示させる旨のコードパターンを備える、
ことを特徴とする情報表示カード。
【請求項２】
前記カード本体に、
前記販売対象に関連する情報を文字表示した関連情報表示をさらに有し、
前記関連情報表示が、前記販売対象名表示部および前記ＱＲコード（登録商標）表示部に隣接して配置された、
ことを特徴とする請求項１に記載の情報表示カード。
【請求項３】
前記ＱＲコード（登録商標）表示部に表示したＱＲコード（登録商標）は、
前記販売対象に関連する動画のＵＲＬを含む、
ことを特徴とする請求項１または２に記載の情報表示カード。
【請求項４】
前記ＱＲコード（登録商標）表示部に表示したＱＲコード（登録商標）は、
前記販売対象に関連する複数の情報項目と対応する複数のＵＲＬを含む、
ことを特徴とする請求項１から３のいずれか１項に記載の情報表示カード。
【請求項５】
広告表示本体部に、
販売対象の名称を文字表示した販売対象名表示部と、
前記販売対象名表示部に隣接して配置され、該販売対象に関連する情報を文字表示した関連情報表示部と、
前記販売対象名表示部および前記関連情報表示部に隣接して配置され、前記販売対象に関連する情報を示すＱＲコード（登録商標）を表示したＱＲコード（登録商標）表示部と、
を有し、
前記ＱＲコード（登録商標）表示部に表示したＱＲコード（登録商標）は、
前記販売対象に関連する画像情報の配信を行うＵＲＬを含み、該ＱＲコード（登録商標）を読み込んだ携帯端末に前記ＵＲＬで配信される画像情報を表示させる旨のコードパターンを備える、
ことを特徴とする広告ポップ。
【請求項６】
前記ＱＲコード（登録商標）表示部に表示したＱＲコード（登録商標）は、
前記販売対象に関連する動画のＵＲＬを含む、
ことを特徴とする請求項５に記載の広告ポップ。
【請求項７】
前記ＱＲコード（登録商標）表示部に表示したＱＲコード（登録商標）は、
前記販売対象に関連する複数の情報項目と対応する複数のＵＲＬを含む、
ことを特徴とする請求項５または６に記載の広告ポップ。